(57)【要約】【課題】箱部が撓みバネ部を十分に保護できる端子を提供する。【解決手段】一枚のプレートより底面壁３と一対の側面壁４、５と天井壁６が一体に形成された箱部２と、箱部２に一端が支持され、且つ、箱部２内に配置された撓みバネ部１０とを備え、雄端子２０が撓みバネ部１０の撓み変形した状態で前記箱部２内に配置され、撓みバネ部１０の撓み復帰力を接触荷重として雄端子２０と接触する雌端子１Ａにおいて、天井壁６は、撓みバネ部１０の領域を全て被覆しており、一の側面壁５は、底面壁３より一体に設けられた主要側壁部７と天井壁６より一体に設けられた補助側壁部８から構成され、主要側壁部７の上端側と補助側壁部８の下端側の双方が壁厚の薄い薄肉突部７ａ、８ａに形成され、互いの薄肉突部７ａ、８ａ同士が重なり合っている。【選択図】図３
2017208166.tif 000002
【特許請求の範囲】
【請求項１】
一枚のプレートより底面壁と一対の側面壁と天井壁が一体に形成された箱部と、前記箱部に一端が支持され、且つ、前記箱部内に配置された撓みバネ部とを備え、
相手端子が前記撓みバネ部の撓み変形した状態で前記箱部内に配置され、前記撓みバネ部の撓み復帰力を接触荷重として前記相手端子と接触する端子において、
前記天井壁は、前記撓みバネ部が前記箱部への支持部から先端までの領域を全て被覆しており、
一の前記側面壁は、前記底面壁より折曲部を介して一体に設けられた第１側壁部と前記天井壁より折曲部を介して一体に設けられた第２側壁部から構成されており、前記第１側壁部の上端側と前記第２側壁部の下端側の双方が壁厚の薄い薄肉突部にそれぞれ形成されており、互いの薄肉突部同士が重なり合って配置されていることを特徴とする端子。
【請求項２】
請求項１記載の端子であって、
前記撓みバネ部が前記底面壁と前記天井壁のいずれか一方より一体に延設されており、  前記第１側壁部と前記第２側壁部の内で、前記撓みバネ部の支持部位に連結された側壁部側の前記薄肉突部が内面側に配置されていることを特徴とする端子。
【請求項３】
請求項１又は請求項２記載の端子であって、
前記双方の薄肉突部の一方には係止孔が形成されており、前記双方の薄肉突部の他方には前記係止孔に挿入される係止突部が設けられていることを特徴とする端子。
【請求項４】
請求項１〜請求項３のいずれかに記載の端子であって、
前記撓みバネ部は、先端が自由端に形成され、
前記天井壁には、撓み変形された前記撓みバネ部の先端の変位を規制する自由端支持部が設けられていることを特徴とする端子。
【発明の詳細な説明】
【技術分野】
【０００１】
本発明は、撓みバネ部が箱部内に配置された端子に関する。
【背景技術】
【０００２】
この種の従来の端子として、例えば特許文献１に開示されたものがある。この端子５０は、図９に示すように、前面が開口された箱部５２を有する。この箱部５２は、底面壁５３と一対の側面壁５４，５５と天井壁５６が一枚のプレートより設けられている。一の側面壁５５には、切欠部５５ａが形成されている。この切欠部５５ａに天井壁５６より延設された係合片部５７が配置されている。箱部５２は、天井壁５６より延設された係合片部５７が側面壁５５の切欠部５５ａに入り込むことで、箱部５２の強度向上が図られている。
【０００３】
箱部５２内には、一端が箱部５２に支持された片持ち支持構造の撓みバネ部６０が設けられている。
【０００４】
箱部５２内に挿入された相手端子（図示せず）は、撓みバネ部６０と底面壁５３の間に挟持され、撓みバネ部６０のバネ復帰力を接触荷重として端子間が電気的に接続される。
【先行技術文献】
【特許文献】
【０００５】
【特許文献１】特開２０１０−１６０９６１号公報
【発明の概要】
【発明が解決しようとする課題】
【０００６】
しかしながら、前記従来の端子５０では、天井部５６に開口部５６ａが形成されているため、開口部５６ａより他部材が箱部５２内に侵入することが可能であり、侵入した部材によって撓みバネ部６０がダメージを受ける可能性がある。
【０００７】
又、係合片部５７が切欠部５５ａに入り込む構造であるが、係合片部５７の端面と切欠部５５ａの端面が単に突き合わされているだけなので、係合片部５７が例えば外開き方向、内開き方向に変形し易く、箱部５２の形態維持機能が弱い。箱部５２が変形すると、撓みバネ部６０のバネ特性が変化する恐れがある。バネ特性が変化すると、適正な接触荷重が得られない。
【０００８】
このように前記従来の端子５０では、箱部５２が撓みバネ部６０を十分に保護することができないという問題があった。
【０００９】
そこで、本発明は、前記した課題を解決すべくなされたものであり、箱部が撓みバネ部を十分に保護できる端子を提供することを目的とする。
【課題を解決するための手段】
【００１０】
本発明は、一枚のプレートより底面壁と一対の側面壁と天井壁が一体に形成された箱部と、前記箱部に一端が支持され、且つ、前記箱部内に配置された撓みバネ部とを備え、
相手端子が前記撓みバネ部が撓み変形した状態で前記箱部内に配置され、前記撓みバネ部の撓み復帰力を接触荷重として前記相手端子と接触する端子において、前記天井壁は、前記撓みバネ部が前記箱部への支持部から先端までの領域を全て被覆しており、一の前記側面壁は、前記底面壁より折曲部を介して一体に設けられた第１側壁部と前記天井壁より折曲部を介して一体に設けられた第２側壁部から構成されており、前記第１側壁部の上端側と前記第２側壁部の下端側の双方が壁厚の薄い薄肉突部にそれぞれ形成されており、互いの薄肉突部同士が重なり合って配置されていることを特徴とする端子である。
【発明の効果】
【００１１】
本発明によれば、天井壁で撓みバネ部の全域が被覆されているため、天井壁側から箱部内に他部材が侵入せず、又、箱部の組み合わせ箇所は、双方の薄肉突部同士が重ね合された構造であるため、変形し難い。以上より、箱部が撓みバネ部を十分に保護できる。
【図面の簡単な説明】
【００１２】
【図１】本発明の第１実施形態を示し、端子の全体斜視図である。
【図２】本発明の第１実施形態を示し、端子と嵌合前の相手端子の側面図である。
【図３】本発明の一実施形態を示し、（ａ）は図２のＡ−Ａ線断面図、（ｂ）は（ａ）のＣ１部拡大図である。
【図４】本発明の第２実施形態を示し、端子の全体斜視図である。
【図５】本発明の第２実施形態を示し、端子と嵌合前の相手端子の側面図である。
【図６】本発明の第２実施形態を示し、箱部の組み合わせ箇所の分解斜視図である。
【図７】本発明の第２実施形態を示し、（ａ）は図５のＢ−Ｂ線断面図、（ｂ）は（ａ）のＣ２部拡大図である。
【図８】本発明の比較例を示し、箱部の正面図である。
【図９】従来例を示し、（ａ）は端子の側面図、（ｂ）は端子の平面図である。
【発明を実施するための形態】
【００１３】
以下、本発明の実施形態を図面に基づいて説明する。
【００１４】
（第１実施形態）
図１〜３は本発明の第１実施形態を示す。端子である雌端子１Ａは、１枚の所定形状の導電性プレート（銅材等）を折り曲げて形成されている。雌端子１Ａは、相手端子である雄端子２０と電気的に接続する箱部２と、電線（図示せず）を接続する電線接続部１５とを備えている。
【００１５】
箱部２は、前面側と後面側が開口された四角形の細長い箱形状であり、底面壁３と一対の側面壁４，５と天井壁６から形成されている。底面壁３は、端子嵌合方向ｆの中央部が折り曲げによって一段高いタブ受け面部３ａを有する。一方の側面壁４は、底面壁３より折曲部を介して一体に設けられている。天井壁６は、一方の側面壁４より折曲部を介して一体に設けられた上面天井部６ａと、他方の側面壁５の端子嵌合方向ｆの両端部より折曲部を介して一体に設けられた一対の下面天井部６ｂから構成されている。
【００１６】
他方の側面壁５は、底面壁３より折曲部を介して一体に設けられた第１側壁部である主要側壁部７と、天井壁６の端子嵌合方向ｆの中央部より折曲部を介して一体に設けられた第２側壁部である補助側壁部８から構成されている。主要側壁部７は、その上方箇所で、端子嵌合方向ｆの中央部に切欠部９が形成されている。補助側壁部８は、この切欠部９に隙間なく入り込むように配置されている。主要側壁部７の切欠部９に対応する上端部と補助側壁部８の下端部の双方は、壁厚の薄い薄肉突部７ａ，８ａにそれぞれ形成されており、互いの薄肉突部７ａ，８ａ同士が重なり合って配置されている。
【００１７】
双方の薄肉突部７ａ，８ａの重なり箇所は、撓みバネ部１０を支持する下面天井部６ｂに連結された主要側壁部７側のものが内面側に位置し、撓みバネ部１０を支持する下面天井部６ｂに連結されていない補助側壁部８側のものが外面側に位置している。
【００１８】
撓みバネ部１０は、箱部２内に配置され、タブ受け面部３ａに対向配置されている。撓みバネ部１０は、一方の下面天井部６ｂより延設され、その先端が自由端である。つまり、撓みバネ部１０は、片持ち支持構造である。
【００１９】
天井壁６（上面天井壁６ａ）は、撓みバネ部１０の支持部より先端の自由端までの全域を覆っている。又、天井壁６（上面天井壁６ａ）の一部は、撓みバネ部１０の撓み変形時に自由端を支持する自由端支持部６ｃとされている。これにより、撓みバネ部１０は、両持ち支持構造として撓み変形し、片持ち支持構造のバネに較べてバネ定数が高いバネとして機能する。
【００２０】
相手端子であるオス端子２０は、扁平で細長いタブ部２１と、電線を接続する電線接続部（図示せず）とを備えている。
【００２１】
次に、端子嵌合動作を説明する。雄端子２０のタブ部２１を雌端子１Ａの箱部２に挿入すると、タブ部２１の先端が撓みバネ部１０に干渉する。すると、撓みバネ部１０が自由端支持部６ｃによって両持ち支持された状態で、タブ受け面部３ａとの間隔を広げる方向に撓み変形する。この撓みバネ部１０の撓み変形によって箱部２内へのタブ部２１の挿入が許容され、タブ部２１が嵌合位置まで挿入される。嵌合位置では、タブ部２１は、タブ受け面部３ａと撓みバネ部１０との間に挟持され、撓みバネ部１０の撓み復帰力を接触荷重として雄端子２０と雌端子１Ａが電気的に接続される。
【００２２】
以上説明したように、天井壁６は、撓みバネ部１０が箱部２への支持部から先端までの領域を全て被覆しており、一の側面壁５は、底面壁３より折曲部を介して一体に設けられた主要側壁部（第１側壁部）７と天井壁６より折曲部を介して一体に設けられた補助側壁部（第２側壁部）８から構成されており、主要側壁部７の上端側と補助側壁部８の下端側の双方が壁厚の薄い薄肉突部７ａ，８ａにそれぞれ形成されており、互いの薄肉突部７ａ，８ａ同士が重なり合って配置されている。従って、天井壁６で撓みバネ部１０の全域が被覆されているため、天井壁６側から箱部２内に他部材が侵入できず、又、箱部２の組み合わせ箇所（主要側壁部７と補助側壁部８の組み合わせ箇所）は、双方の薄肉突部７ａ，８ａ同士が重ね合された構造であるため、変形し難い。これにより、箱部２内に侵入する部材や箱部２の変形に起因するバネ特性の変化を極力防止でき、箱部２が機能低下を招来しないように撓みバネ部１０を十分に保護できる。
【００２３】
例えば、端子部品単品での製造・梱包・輸送工程、組電線製造の各工程において、他部品の箱部２内への侵入や外力による箱部２の変形を防止することにより、箱部２が撓みバネ部１０の機能が低下しないように十分に保護できる。
【００２４】
図８に示すように、他方の側面壁５を第１側壁部７Ａと第２側壁部８Ａの全域を互いに重ね合せることによって形成しても箱部２の変形を防止できる。しかし、第１実施形態のメス端子１は、図８の比較例の端子の幅をＷ２とすると、第１実施形態のメス端子１の幅をＷ１とすると、第１実施形態のメス端子１の幅を板厚分ｄ（＝Ｗ２−Ｗ１）だけ小型化できるという利点がある。
【００２５】
主要側壁部７と補助側壁部８の内で、撓みバネ部１０の支持部位に連結された側壁部、つまり、主要側壁部７の薄肉突部７ａが内面側に配置され、そうでない補助側壁部８の薄肉突部８ａが外面側に配置されている。従って、補助側壁部８よりも主要側壁部７の方が外開き等がし難いため、箱部２の変形（主要側壁部７の外開き）に起因する撓みバネ部１０の機能低下（例えば、バネ定数の変化）をより確実に防止できる。
【００２６】
（第２実施形態）
図４〜７は本発明の第２実施形態を示す。この第２実施形態の雌端子１Ｂは、前記第１実施形態のものと比較するに、次の構成のみが相違する。つまり、主要側壁部７の薄肉突部７ａに係止孔１２が形成され、補助側壁部８の薄肉突部８ａに係止孔１２に挿入された係止突部１３が設けられている点が相違する。他の構成は、前記第１実施形態と同様にあるため、重複説明を省略し、同一構成箇所には同一符号を付して明確化を図る。
【００２７】
この第２実施形態でも、第１実施形態と同様に、天井壁６で撓みバネ部１０の全域が被覆されているため、天井壁６側から箱部２内に部材が侵入せず、又、箱部２の組み合わせ箇所、つまり、主要側壁部７と補助側壁部８の組み合わせ箇所が変形し難い。以上より、箱部２が機能低下を招来しないように撓みバネ部１０を十分に保護できる。
【００２８】
特に、第２実施形態では、主要側壁部７の薄肉突部７ａの係止孔１２に補助側壁部８の薄肉突部８ａの係止突部１３が入り込んでいるため、第１実施形態と比べて、箱部２の組み合わせ箇所、つまり、主要側壁部７と補助側壁部８の組み合わせ箇所が変形するのを更に確実に防止できるという効果がある。
【符号の説明】
【００２９】
１Ａ，１Ｂ  雌端子（端子）
２  箱部
３  底面壁
４，５  側面壁
６  天井壁
６ａ  自由端支持部
７  第１側壁部
７ａ，８ａ  薄肉部
８  第２側壁部
１０  撓みバネ部
１２  係止孔
１３  係止突部
２０  雄端子（相手端子）
【図１】
2017208166.tif 000003
【図２】
2017208166.tif 000004
【図３】
2017208166.tif 000005
【図４】
2017208166.tif 000006
【図５】
2017208166.tif 000007
【図６】
2017208166.tif 000008
【図７】
2017208166.tif 000009
【図８】
2017208166.tif 000010
【図９】
2017208166.tif 000011